(57)【要約】【課題】扉体と家具本体とを、ワンタッチで簡易に取付可能な家具用スライド蝶番に於いて、家具本体からの扉体の取外しも、ドライバ等の押圧部材を別個に必要とせず、容易に行う事を可能とし、作業性と作業の安全性を高める。【解決手段】扉体４に扉取付部材５を固定し、家具本体に固定する本体取付部材１を、家具本体に固定する座金部材３と、座金部材３に着脱可能なフレーム部材８と、フレーム部材８を座金部材３に接続用の連結体１０とで構成する。前記連結体１０にフレーム部材８の天板１２方向へ付勢状態で軸支した係合片１５を、座金部材３の係合受片１６に弾性係合可能とする。家具本体からの扉体４の取外し時はフレーム部材８の両側壁１１に軸支した押圧レバー５０を手指５５にて押圧操作し、係合片１５と係合受片１６との係合を解除する。【選択図】　　図１
2004044226.tif 000002
【特許請求の範囲】
【請求項１】
扉体に固定するための扉取付部材と、家具本体に固定するための本体取付部材とを、外リンクプレート及び内リンクプレートを介して回動自在に連結したものに於いて、上記本体取付部材は、家具本体に固定される座金部材と、この座金部材に着脱可能に接続され前記扉取付部材に外リンクプレートと内リンクプレートを介して連結されたフレーム部材と、このフレーム部材と座金部材との間に配置するとともにフレーム部材に一体に固定され、フレーム部材を座金部材に接続するための連結体とから構成し、前記連結体に、鈎爪を有する係合片をフレーム部材の天板方向へ付勢状態で軸支し、家具本体への扉体の取付け時はフレーム部材の扉体方向からの差し込みによって連結体の係合片が座金部材に設けた係合受片に弾性係合可能とするとともに、この係合片に臨ませて手指で押圧可能な係合片の押圧部材を、前記フレーム部材の両側壁に軸支し、家具本体からの扉体の取外し時は、該押圧部材を手指にて押圧し係合片を付勢力に抗して押圧する事により、係合受片と係合片との係合を解除可能とする事を特徴とする家具用スライド蝶番。
【発明の詳細な説明】
【０００１】
【産業上の利用分野】
本発明は、家具本体に扉体をワンタッチで取付け及び取外しが可能な家具用スライド蝶番に係るものである。尚、ここで家具とは狭義の意味の家具ではなく、建具等をも含む広義の概念で用いている。
【０００２】
【従来の技術】
従来、実公平３−５６６１６号公報記載の考案の如く、扉体に固定した扉取付部材と、家具本体に固定した本体取付部材とを、外リンクプレート及び内リンクプレートを介して回動自在に連結した家具用スライド蝶番を用い、家具本体への扉体の取付けをワンタッチで容易に行えるようにしたものが存在する。この考案では、本体取付部材は、扉体に固定する座金部材と、この座金部材に着脱可能に接続可能で前記外リンクプレートと内リンクプレートを介して扉取付部材に連結されるフレーム部材とから構成し、このフレーム部材には、鈎爪を設けた係合片を軸支し、この係合片を付勢発条にてフレーム部材の天板方向に付勢している。
【０００３】
そして、このフレーム部材を座金部材に差し込むと、前記係合片が天板方向への付勢力に抗して、座金部材に設けた係合受部に弾性係合する事により、フレーム部材と座金部材とが一体に接続されるので、スライド蝶番を介して扉体が家具本体に取付けられる。このように家具本体への扉体の取付け作業を、ワンタッチで容易に行う事ができる。尚、係合片と係合受片との係合後は、係合片が天板方向に付勢されるので、前記係合が解除する事はなく、扉体の開閉を支障なく行える。
【０００４】
次に、家具本体から扉体を取外す際には、ドライバ等の先端の尖った適宜の治具を用いて、前記フレーム部材の係合片を、付勢力とは反対方向に押圧すると、係合片と座金部材の係合受片との係合が解除される。この係合解除状態でフレーム部材を家具本体からの分離方向に引くと、座金部材からフレーム部材が離脱するので、家具本体から扉体を取外す事ができる。
【０００５】
【発明が解決しようとする課題】
しかしながら、上記従来考案では、家具本体から扉体を取外す場合にドライバ等の尖鋭の治具を別個に用意する必要があるし、この治具で係合片と係合受部との係合解除を行うのは容易ではなく、取外しの作業性を悪くしていた。また、先尖の治具を用いる事は、作業者の安全性に影響を及ぼす事があった。
【０００６】
本発明は、上述の如き課題を解決しようとするものであって、扉取付部材と本体取付部材とを外リンクプレート及び内リンクプレートにて連結し、家具本体と扉体とをワンタッチで簡易に取付け可能な家具用スライド蝶番に於いて、家具本体から扉体を取外す際に、ドライバ、その他の尖鋭の治具を別個に使用する必要がなく、手指によりワンタッチで容易に取外しを可能とするものである。そして、家具本体と扉体との着脱時の作業性を向上させ、作業の安全性も確保可能とするものである。
【０００７】
【課題を解決するための手段】
本発明は、上述の如き課題を解決するため、扉体に固定するための扉取付部材と、家具本体に固定するための本体取付部材とを、外リンクプレート及び内リンクプレートを介して回動自在に連結したものに於いて、上記本体取付部材は、家具本体に固定される座金部材と、この座金部材に着脱可能に接続され前記扉取付部材に外リンクプレートと内リンクプレートを介して連結されたフレーム部材と、このフレーム部材と座金部材との間に配置するとともにフレーム部材に一体に固定され、フレーム部材を座金部材に接続するための連結体とから構成し、前記連結体に、鈎爪を有する係合片をフレーム部材の天板方向へ付勢状態で軸支し、家具本体への扉体の取付け時はフレーム部材の扉体方向からの差し込みによって連結体の係合片が座金部材に設けた係合受片に弾性係合可能とするとともに、この係合片に臨ませて手指で押圧可能な係合片の押圧部材を、前記フレーム部材の両側壁に軸支し、家具本体からの扉体の取外し時は、該押圧部材を手指にて押圧し係合片を付勢力に抗して押圧する事により、係合受片と係合片との係合を解除可能として成るものである。
【０００８】
【作用】
本発明は上述の如く構成したものであり、家具本体への扉体の取付け前は、家具本体には本体取付部材の座金部材のみが固定され、本体取付部材のフレーム部材は、扉体に固定された扉取付部材に、外リンクプレート及び内リンクプレートを介して連結されている。また、フレーム部材には連結体が接続固定されるとともに連結体に軸支した係合片は、フレーム部材の天板方向に付勢状態となっている。
【０００９】
上述の如き扉体を家具本体に取付けるには、家具本体に固定した座金部材に臨ませて、フレーム部材を配置し、このフレーム部材を扉体側から家具本体方向にスライドして座金部材に差し込むと、連結体に軸支した係合片の鈎爪が、座金部材の係合受片に弾性係合する。この係合片と係合受片との係合により、連結体を介してフレーム部材が座金部材に一体に接続され、家具本体への扉体の取付け作業が完了し、取付け作業をワンタッチで容易に行う事ができる。また、フレーム部材と座金部材との接続後は、係合片がフレーム部材の天板方向に付勢状態となるので、扉体の開閉動作により係合片と係合受片との係合が不用意に解除される事はない。
【００１０】
次に、家具本体から扉体を取外すには、フレーム部材に軸支された押圧部材を手指により天板方向に押下げると、この押圧部材が係合片を付勢力とは反対方向に押圧する。この押圧により、係合片は軸支部を介して係合解除方向に回動し、係合片と係合受片との係合が解除される。この係合解除状態で、フレーム部材を扉体方向に引く事により、フレーム部材が座金部材から離脱し、家具本体から扉体が取外されるものとなる。
【００１１】
このように、本発明の家具用スライド蝶番を介して家具本体からの扉体の取外しをワンタッチで容易に行う事ができる。即ち、この取外しのための係合片と係合受片との係合を解除する際に、ドライバ等の尖鋭の治具を別個に使用する必要がなく、フレーム部材に設けた押圧部材を手指で押圧するだけで、簡単に係合を解除する事ができ、作業性が向上するとともに、作業時の安全性も高まるものとなる。
【００１２】
【実施例】
以下、本発明の一実施例を図面に於て説明すれば、（１）は本発明の家具用スライド蝶番の本体取付部材で、座金部材（３）と、フレーム部材（８）と、このフレーム部材（８）を座金部材（３）に接続するための連結体（１０）とから構成されている。そして、前記座金部材（３）を家具本体の内壁面（２）に固定し、この座金部材（３）に接続可能なフレーム部材（８）を、扉体（４）に固定した扉取付部材（５）に、外リンクプレート（６）及び内リンクプレート（７）を介して回動自在に連結している。尚、本明細書では、家具本体の内壁面（２）に於いて、扉体（４）の開閉方向を前後方向とし、扉体（４）側を前方、この扉体（４）側とは反対の家具本体の内部側を後方とするとともに、内壁面（２）と同一平面上で前後方向との直交方向を左右方向とし、内壁面（２）に対して直交方向を上下方向とする。
【００１３】
また、前記フレーム部材（８）は、両側壁（１１）と天板（１２）とから成る断面コ字型に形成し、このコ字型の内部に前記連結体（１０）を収納可能とし、連結体（１０）とフレーム部材（８）とは、上下調整ねじ（１３）及び締付ねじ（１４）にて一体に接続可能となっている。また、連結体（１０）には、フレーム部材（８）の天板（１２）方向へ付勢状態で、係合片（１５）が軸支されている。そして、この係合片（１５）を係合する係合受片（１６）を、座金部材（３）に設けている。
【００１４】
上記各部材を詳細に説明すると、まず座金部材（３）は、図２に示す如く、基台（１７）の両側に一対の固定翼（１８）を設け、この固定翼（１８）の固定穴（２０）に螺合された固定ねじ（２１）を介して、図１に示す如く、家具本体の内壁面（２）に固定されている。そして、座金部材（３）に設ける係合受片（１６）は、基台（１７）の後方側の端部から前方側に、基台（１７）と平行な一対の腕状に離間して延長され、先端から基台（１７）方向に下がり傾斜となるガイド面（２２）と、基台（１７）に対して直交方向に設けた係合段面（２３）とを備えている。また、基台（１７）は、係合受片（１６）の基端側に弧状受部（２４）を形成し、基台（１７）の前方側の端部には、図２に示す如く、凹部（２５）を切欠き形成し、この凹部（２５）側に係合端面（２６）を形成するとともに、この係合端面（２６）に連続して後方側に、案内傾斜面（２７）を設けている。
【００１５】
次に、前記連結体（１０）は細長板状を呈し、後方側の上面には締付ねじ（１４）を螺合するねじ孔（２８）及び左右方向に平行な複数の係合受溝（３０）を形成し、後方側の下端には前記座金部材（３）の弧状受部（２４）に係合可能な弧状突部（３１）を突出形成している。また、連結体（１０）の前方側には、前後調整ねじ（１３）のねじ部（３２）を螺合するねじ孔（３３）を形成し、前方側の下端から、座金部材（３）の係合端面（２６）に係合可能なフック部（３４）を突出形成している。更に連結体（１０）の中央付近に、凹状のばね受部（３５）を設け、このばね受部（３５）内に押圧発条（３６）を収納している。
【００１６】
また、上記連結体（１０）に軸支される前記係合片（１５）は、図２に示す如く、二股Ｈ字形に形成し、前方側の基端部を支軸（３９）により連結体（１０）に軸支し、上下方向に回動可能としている。また、係合片（１５）のＨ形の中間部位は、連結体（１０）のばね受部（３５）の上面に配置する解除操作部（３７）とし、この解除操作部（３７）の下面とばね受部（３５）との間で保持する押圧発条（３６）により、係合片（１５）はフレーム部材（８）の天板（１２）方向に押圧付勢されている。更に、係合片（１５）は、軸支してない後方側の自由端に、一対の鈎爪（３８）を天板（１２）方向に突出形成し、この鈎爪（３８）を、天板（１２）に直交する係合段面（４０）と、この係合段面（４０）の先端から座金部材（３）方向に下がり傾斜となる円弧状ガイド面（４１）とを備えた構成としている。
【００１７】
また、フレーム部材（８）は、天板（１２）の前方から中間部付近に大径穴（４２）及びこれに連通する長穴（４３）とから成る時計穴（４４）を設け、天板（１２）の後端に割溝（４５）を切欠き形成している。上記長穴（４３）には、連結体（１０）のねじ孔（３３）に螺合する前後調整ねじ（１３）の首部（４６）が係止され、上記割溝（４５）には、連結体（１０）のねじ孔（２８）に螺合する締付ねじ（１４）が挿通される。上記長穴（４３）及び割溝（４５）の任意の位置に連結体（１０）の各ねじ孔（３３）（２８）を配置する事により、フレーム部材（８）と連結体（１０）との前後方向の位置関係を任意に調整する事が可能である。また、割溝（４５）を設けた下面には、前記連結体（１０）の係合受溝（３０）に係合可能な係合溝（４７）を複数本設け、連結体（１０）とフレーム部材（８）との接続安定性を高めている。
【００１８】
また、フレーム部材（８）は、両側壁（１１）の前方側を、図１〜図５に示す如く天板（１２）よりも上方に突設して一対の上部両側壁（４８）を設け、この一対の上部両側壁（４８）間に、係合片（１５）の上面に臨ませて押圧レバー（５０）を配置している。この押圧レバー（５０）は、前方側の基端部を支軸（５１）介して上部両側壁（４８）に軸支し、上下方向に回動可能としている。
【００１９】
また、上記押圧レバー（５０）は、係合片（１５）の解除操作部（３７）に臨ませて、中央下方に一対の押圧突起（５２）を離間して突設し、この押圧突起（５２）にて解除操作部（３７）の両肩部を押圧可能とするとともに、軸支部とは反対側の自由端を手指（５５）で押圧可能な押圧部（５３）としている。そして、押圧部（５３）の非押圧時は、押圧突起（５２）が解除操作部（３７）を押圧する事はなく、押圧発条（３６）による係合片（１５）の天板（１２）方向への付勢状態が保たれる。
【００２０】
これに対して、押圧部（５３）を手指（５５）で押圧する事により、押圧突起（５２）が解除操作部（３７）を押下げ、押圧発条（３６）の付勢力に抗して係合片（１５）を基台（１７）方向に回動可能としている。また、上部両側壁（４８）には、解除操作部（３７）の非押圧状態の押圧レバー（５０）の天面に臨ませて突起状のストッパー（５４）を一対形成し、押圧レバー（５０）が上部方向に不用意に回動するのを防止して、押圧レバー（５０）が扉体（４）の開閉動作を妨げる事のないようにしている。
【００２１】
上述の如き家具用スライド蝶番を用いて家具本体に扉体（４）を取付ける手順を説明する。まず扉体（４）の取付け前は、本体取付部材（１）の座金部材（３）は、家具本体の内壁面（２）に固定されているが、フレーム部材（８）は、扉体（４）に国定された扉取付部材（５）に外リンクプレート（６）及び内リンクプレート（７）を介して連結されている。また、フレーム部材（８）には、前後調整ねじ（１３）及び締付ねじ（１４）により連結体（１０）が一体に接続され、係合片（１５）は押圧発条（３６）により天板（１２）側へ付勢された状態となっている。
【００２２】
また、係合片（１５）の解除操作部（３７）の上面に臨ませて、フレーム部材（８）の上部両側壁（４８）に軸支した押圧レバー（５０）の押圧突起（５２）が配置されている。また、上記前後調整ねじ（１３）の首部（４６）はフレーム部材（８）の長穴（４３）に係止され、ねじ部（３２）は連結体（１０）のねじ孔（３３）に螺合されるとともに、割溝（４５）に挿通した締付ねじ（１４）は連結体（１０）のねじ孔（２８）に螺合されている。
【００２３】
そして、扉体（４）を内壁面（２）に取付ける際には、フレーム部材（８）を座金部材（３）に臨ませて配置し、図３に示す如く、フレーム部材（８）を後方に押し込むと、連結体（１０）の弧状突部（３１）が座金部材（３）の基台（１７）に設けた案内傾斜面（２７）に案内されて、係合受片（１６）と基台（１７）との間に滑り込む。
【００２４】
次に、係合片（１５）に設けた鈎爪（３８）の円弧状ガイド面（４１）が、係合受片（１６）のガイド面（２２）に当接する。この当接状態でフレーム部材（８）を押し進めると、ガイド面（２２）に円弧状ガイド面（４１）が案内され、押圧発条（３６）に抗して鈎爪（３８）が、基台（１７）方向へ押し下げられた後、鈎爪（３８）がガイド面（２２）を乗り越えて後方に移動し、押圧発条（３６）の付勢力により上方に復元回動する。その結果、図１に示す如く、鈎爪（３８）の係合段面（４０）は、係合受片（１６）の係合段面（２３）に係合する。
【００２５】
上記係合片（１５）と係合受片（１６）との係合と同時に、連結体（１０）のフック部（３４）が係合端面（２６）に引掛かり、しかも弧状突部（３１）が弧状受部（２４）に係合するので、フレーム部材（８）は連結体（１０）を介して座金部材（３）に一体的に装着固定される。また、上記係合片（１５）と係合受片（１６）との係合位置に於いて、係合片（１５）の係合段面（４０）は、係合受片（１６）の係合段面（２３）に弾性係合し、図１に示す如く、大径孔（４２）には解除操作部（３７）を略面一に突出させる事ができる。
【００２６】
このように、連結体（１０）を介してフレーム部材（８）と座金部材（３）とが一体に接続され、扉体（４）が家具本体に連結されるものとなるので、本発明のスライド蝶番を用いて家具本体への扉体（４）の取り付けを、ワンタッチで簡単に行う事ができる。そして、図５に示す如く、外リンクプレート（６）及び内リンクプレート（７）を介して扉体（４）を自在に開閉可能となる。
【００２７】
次に、扉体（４）を家具本体から取外すには、押圧レバー（５０）の押圧部（５３）を手指（５５）にて押圧し、押圧レバー（５０）を天板（１２）方向に回動する。この押圧レバー（５０）の回動により、図４に示す如く、押圧突起（５２）が係合片（１５）の解除操作部（３７）の両肩部を押圧するので、係合片（１５）が押圧発条（３６）の押圧付勢力に抗して基台（１７）方向に回動する。この係合片（１５）の回動により鈎爪（３８）と係合受片（１６）との係合が解除されるので、この解除状態を保持したまま、フレーム部材（８）を手前に引くと、フレーム部材（８）が座金部材（３）から離脱するので、家具本体から扉体（４）が取外されるものとなる。
【００２８】
そして、従来は、座金部材（３）からのフレーム部材（８）の離脱時は、ドライバ等の治具を別個に用意する必要があり、作業性も悪かった。しかし、本発明では、上述の如く解除操作部（３７）の押圧部材である押圧レバー（５０）を製造時にフレーム部材（８）に組み込んでいるし、押圧レバー（５０）を手指（５５）で押圧するだけで係合片（１５）と係合受片（１６）との係合を簡単に解除する事ができ、扉体（４）の取外し時の作業性が向上するとともに、ドライバ等の尖鋭の治具を使用する必要がないから、作業の安全性も高まるものとなる。
【００２９】
また、本実施例においては、前後調整ねじ（１３）の首部（４６）をフレーム部材（８）に係合し、そのねじ部（３２）を連結体（１０）に螺合したが、首部（４６）を連結体（１０）に係合し、ねじ部（３２）をフレーム部材（８）に螺合するタイプにも実施可能である。
【００３０】
【発明の効果】
本発明は上述の如く構成したものであるから、家具用スライド蝶番を用いて家具本体に扉体を、ワンタッチで簡単に取付け及び取外し可能となるとともに、取外しの際にドライバ等の尖鋭の治具を使用する必要がなく、予め製品に設けた押圧レバーを手指で押圧するだけで、座金部材の係合受片と係合片との係合を解除でき、扉取付部材と本体取付部材とが分離して、扉体の取外し作業を容易に行う事が可能となる。従って、扉体と家具本体との着脱時の作業性が向上するとともに、作業の安全性も確保可能となる。
【図面の簡単な説明】
【図１】本発明の家具用スライド蝶番を設けた家具本体と扉体の断面図。
【図２】本体取付部材の分解斜視図。
【図３】家具本体への扉体の取付け過程を示す断面図。
【図４】家具本体から扉体を取外す過程に於いて、押圧レバーの押圧により係合片と係合受片との係合を解除した状態を示す断面図。
【図５】外リンクプレートと内リンクプレートの回動により、扉体を開放した状態の断面図。
【符号の説明】
１　　本体取付部材
３　　座金部材
４　　扉体
５　　扉取付部材
６　　外リンクプレート
７　　内リンクプレート
８　　フレーム部材
１０　　連結体
１１　　両側壁
１２　　天板
１５　　係合片
１６　　係合受片
３８　　鈎爪
４８　　上部両側壁
５０　　押圧レバー（本発明の押圧部材）
５５　　手指
【図１】
2004044226.tif 000003
【図２】
2004044226.tif 000004
【図３】
2004044226.tif 000005
【図４】
2004044226.tif 000006
【図５】
2004044226.tif 000007